(57)【特許請求の範囲】
【請求項１】
第１電極と第２電極との間に電気泳動層が挟持された画素を複数備え、前記第１電極の電位が前記第２電極の電位よりも高い場合を第１の極性とし、前記第１電極の電位が前記第２電極の電位よりも低い場合を第２の極性としたとき、前記画素の表示状態として、前記第１の極性の電圧が前記画素に供給されることによって第１表示状態が選択され、前記第２の極性の電圧が前記画素に供給されることによって第２表示状態が選択され、前記画素に供給される電圧パルスの持続時間に応じて、前記第１表示状態と前記第２表示状態との間の中間調状態が選択される電気泳動表示装置の駆動方法であって、
前記第１及び第２の極性のうち一方の極性の第１の電圧パルスを、前記複数の画素のうち前記第１表示状態と前記第２表示状態との間の第３表示状態にある第１の画素に供給するステップと、
前記第１及び第２の極性のうち他方の極性の第２の電圧パルスを、前記第１の画素に供給するステップと、
前記第１の電圧パルスの極性と同じ極性を有し、且つ前記第１の電圧パルスの持続時間とは異なる持続時間を有する第３の電圧パルスを、前記複数の画素のうち前記第３表示状態にある第２の画素に供給するステップと、
前記第２の電圧パルスを前記第２の画素に供給するステップと
を含むことを特徴とする電気泳動表示装置の駆動方法。
【請求項２】
前記第１及び第２の極性のうち一方の極性の第４の電圧パルスを、前記複数の画素のうち前記第２表示状態と前記第３表示状態との間の第４表示状態にある第３の画素に供給するステップと、
前記第１及び第２の極性のうち他方の極性の第５の電圧パルスを、前記第３の画素に供給するステップと、
前記第４の電圧パルスの極性と同じ極性を有し、且つ前記第４の電圧パルスの持続時間とは異なる持続時間を有する第６の電圧パルスを、前記複数の画素のうち前記第４表示状態にある第４の画素に供給するステップと、
前記第５の電圧パルスを前記第４の画素に供給するステップと
を更に含むことを特徴とする請求項１に記載の電気泳動表示装置の駆動方法。
【請求項３】
前記第１の画素に前記第２の電圧パルスが供給された後の、前記第１の画素の表示状態は、前記第３の画素に前記第５の電圧パルスが供給された後の、前記第３の画素の表示状態と、前記第１表示状態と、の間の表示状態であることを特徴とする請求項２に記載の電気泳動表示装置の駆動方法。
【請求項４】
前記第２の電圧パルスとは異なる極性を有する第７の電圧パルスを、前記第１及び第２の画素に供給するステップを更に含むことを特徴とする請求項１から３のいずれか一項に記載の電気泳動表示装置の駆動方法。
【請求項５】
前記第５の電圧パルスとは異なる極性を有する第８の電圧パルスを、前記第３及び第４の画素に供給するステップを更に含むことを特徴とする請求項２又は３に記載の電気泳動表示装置の駆動方法。
【発明の詳細な説明】
【技術分野】
【０００１】
本発明は、電気泳動表示装置の駆動方法の技術分野に関する。
【背景技術】
【０００２】
この種の電気泳動表示装置では、複数の画素の各々において、画素電極及び共通電極間に挟持された例えば白色と黒色の電気泳動粒子を含む電気泳動層に駆動電圧を印加することにより、電気泳動粒子を移動させることで画像を表示する。また、各画素において駆動電圧を電気泳動層に印加する時間を変更することにより、中間調（例えば灰色）を表示する多階調表示を行うことができる。多階調表示を高精度に行うためには、駆動電圧の印加時間を高精度に制御する必要がある。
【０００３】
例えば特許文献１には、電気泳動表示装置において、表示色を切り替える場合、切替前の表示色の連続表示時間に応じて、駆動電圧の印加時間を変化させることにより、色の不均一表示を回避する技術が開示されている。
【先行技術文献】
【特許文献】
【０００４】
【特許文献１】特開２００７−７９１７０号公報
【発明の概要】
【発明が解決しようとする課題】
【０００５】
この種の電気泳動表示装置では、駆動電圧の印加時間を高精度に制御する必要がある多階調表示を高精度に行うことが困難であるという技術的問題点がある。特に、駆動電圧が印加された際の電気泳動粒子の挙動が例えば温度や湿度などの環境によって異なるため、各画素において表示すべき中間調が表示されるように駆動電圧の印加時間を制御することが困難である。
【０００６】
本発明は、例えば上述した問題点に鑑みなされたものであり、多階調表示を高精度に行うことが可能な電気泳動表示装置の駆動方法を提供することを課題とする。
【課題を解決するための手段】
【０００７】
本発明に係る電気泳動表示装置の駆動方法は上記課題を解決するために、第１電極と第２電極との間に電気泳動層が挟持された画素を複数備え、前記第１電極の電位が前記第２電極の電位よりも高い場合を第１の極性とし、前記第１電極の電位が前記第２電極の電位よりも低い場合を第２の極性としたとき、前記画素の表示状態として、前記第１の極性の電圧が前記画素に供給されることによって第１表示状態が選択され、前記第２の極性の電圧が前記画素に供給されることによって第２表示状態が選択され、前記画素に供給される電圧パルスの持続時間に応じて、前記第１表示状態と前記第２表示状態との間の中間調状態が選択される電気泳動表示装置の駆動方法であって、前記第１及び第２の極性のうち一方の極性の第１の電圧パルスを、前記複数の画素のうち前記第１表示状態と前記第２表示状態との間の第３表示状態にある第１の画素に供給するステップと、前記第１及び第２の極性のうち他方の極性の第２の電圧パルスを、前記第１の画素に供給するステップと、前記第１の電圧パルスの極性と同じ極性を有し、且つ前記第１の電圧パルスの持続時間とは異なる持続時間を有する第３の電圧パルスを、前記複数の画素のうち前記第３表示状態にある第２の画素に供給するステップと、前記第２の電圧パルスを前記第２の画素に供給するステップとを含む。
【０００８】
本発明に係る駆動方法によれば、例えば、先ず、第１及び第２の画素に同一の電圧パルスを供給することにより、第１及び第２の画素を第１表示状態（例えば黒色）と第２表示状態（例えば白色）との間の第３表示状態（例えば灰色、即ち、中間調状態）とする。次に、第３表示状態になっている第１の画素に、第１の電圧パルス及び該第１の電圧パルスとは極性が異なる第２の電圧パルスを順番に供給する。これにより、第１の画素を表示すべき中間調状態とする。即ち、第１の画素において例えば第１の濃度の灰色である第１の中間調が表示される。尚、第２の電圧パルスは、典型的には、第１の電圧パルスの持続時間とは異なる持続時間を有するが、同じ持続時間を有していてもよい。更に、本発明に係る駆動方法によれば、第１の画素と同様に第３表示状態になっている第２の画素に、第１の電圧パルスと同じ極性を有し、且つ第１の電圧パルスの持続時間とは異なる持続時間を有する第３の電圧パルスを供給し、更に、第１の画素と同様に、第２の電圧パルスを供給する。これにより、第２の画素において例えば第１の濃度とは異なる第２の濃度の灰色である第２の中間調が表示される。
【０００９】
このように、本発明では、第１及び第２の画素に互いに異なる中間調を表示させる際、第３表示状態にある第１の画素に第１の電圧パルスを供給すると共に、第３表示状態にある第２の画素に第３の電圧パルス（即ち、第１の電圧パルスと同じ極性を有し、且つ第１の電圧パルスとは異なる持続時間を有する電圧パルス）を供給し、且つ、第１及び第２の画素に第２の電圧パルス（即ち、第１及び第３の電圧パルスとは異なる極性を有する電圧パルス）を供給する。
【００１０】
ここで、例えば、第１及び第３の電圧パルスが第２の極性を有する場合には、第３表示状態にある第１の画素に第１の電圧パルスが供給されることにより、第１の画素は第３表示状態とは異なる第１の中間調状態となり、第３表示状態にある第２の画素に第３の電圧パルスが供給されることにより、第２の画素は第３表示状態及び第１の中間調状態とは異なる第２の中間調状態となる。
【００１１】
本発明では特に、このように第１及び第３の電圧パルスが供給されることにより互いに異なる表示状態（例えば中間調状態）となった第１及び第２の画素に、第１及び第３の電圧パルスとは異なる極性を有する第２の電圧パルスを供給する。これにより、第１及び第２の画素の表示状態（例えば中間調状態）を互いに近づけることができる。よって、第１及び第２の画素において階調を細かく制御することができる。即ち、例えば、第１表示状態にある第１の画素に第１の電圧パルスのみを供給すると共に第１表示状態にある第２の画素に第３の電圧パルスのみを供給することにより、第１及び第２の画素において表示する階調を制御する場合と比較して、第１及び第２の画素において表示可能な階調の階調数を多くすることができる。従って、多階調表示を高精度に行うことが可能となる。
【００１２】
尚、本発明のように、第１及び第３の電圧パルスが供給されることにより互いに異なる表示状態となった第１及び第２の画素に、第１及び第３の電圧パルスとは異なる極性を有する第２の電圧パルスを供給することにより、第１及び第２の画素の表示状態が互いに近づくことは、本願発明者等の実験によって判明している。
【００１３】
更に本発明では特に、第１及び第２の画素に互いに異なる中間調を表示させる際、上述したように、例えば、先ず、第１及び第２の画素に同一の電圧パルスを供給することにより、第１及び第２の画素を第１表示状態（例えば黒色）と第２表示状態（例えば白色）との間の第３表示状態（例えば灰色、即ち、中間調状態）とする。即ち、第１及び第２の画素に互いに異なる中間調を表示させる際、第１及び第２の画素の各々が表示すべき中間調に例えば第１表示状態や第２表示状態よりも近い第３表示状態を、第１及び第２の画素に表示させる。よって、複数の画素において中間調を含む画像を表示する際、表示すべき画像を、表示すべき階調よりも粗い階調で迅速に表示することができる。言い換えれば、中間調を含む画像を表示する際、初期の段階で、表示すべき画像に近い画像を表示することができる。従って、表示すべき画像の内容を、ユーザー（使用者）が早期に視認することが可能となる。
【００１４】
以上説明したように、本発明に係る電気泳動表示装置の駆動方法によれば、多階調表示を高精度に行うことが可能となる。更に、中間調を含む画像を表示する際、初期の段階で、表示すべき画像に近い画像を表示することができる。
【００１５】
本発明に係る電気泳動表示装置の駆動方法の一態様では、前記第１及び第２の極性のうち一方の極性の第４の電圧パルスを、前記複数の画素のうち前記第２表示状態と前記第３表示状態との間の第４表示状態にある第３の画素に供給するステップと、前記第１及び第２の極性のうち他方の極性の第５の電圧パルスを、前記第３の画素に供給するステップと、前記第４の電圧パルスの極性と同じ極性を有し、且つ前記第４の電圧パルスの持続時間とは異なる持続時間を有する第６の電圧パルスを、前記複数の画素のうち前記第４表示状態にある第４の画素に供給するステップと、前記第５の電圧パルスを前記第４の画素に供給するステップとを更に含む。
【００１６】
この態様によれば、第３及び第４の画素に互いに異なる中間調を表示させる際、第４表示状態にある第３の画素に第４の電圧パルスを供給すると共に、第４表示状態にある第４の画素に第６の電圧パルス（即ち、第４の電圧パルスと同じ極性を有し、且つ第４の電圧パルスとは異なる持続時間を有する電圧パルス）を供給し、且つ、第３及び第４の画素に第５の電圧パルス（即ち、第４及び第６の電圧パルスとは異なる極性を有する電圧パルス）を供給する。
【００１７】
ここで、例えば、第４及び第６の電圧パルスが第１の極性を有する場合には、第４表示状態にある第３の画素に第４の電圧パルスが供給されることにより、第３の画素は第４表示状態とは異なる第３の中間調状態となり、第４表示状態にある第４の画素に第６の電圧パルスが供給されることにより、第４の画素は第４表示状態及び第３の中間状態とは異なる第４の中間調状態となる。
【００１８】
この態様では特に、このように第４及び第６の電圧パルスが供給されることにより異なる表示状態（例えば中間調状態）となった第３及び第４の画素に、第４及び第６の電圧パルスとは異なる極性を有する第５の電圧パルスを供給する。これにより、第３及び第４の画素の表示状態（例えば中間調状態）を互いに近づけることができる。よって、第３及び第４の画素において階調を細かく制御することができる。言い換えれば、第３及び第４の画素において表示可能な階調の階調数を多くすることができる。従って、多階調表示を高精度に行うことが可能となる。
【００１９】
本発明に係る電気泳動表示装置の駆動方法の他の態様では、前記第１の画素に前記第２の電圧パルスが供給された後の、前記第１の画素の表示状態は、前記第３の画素に前記第５の電圧パルスが供給された後の、前記第３の画素の表示状態と、前記第１表示状態と、の間の表示状態である。
【００２０】
この態様によれば、第２の電圧パルスが第１の画素に供給され、第５の電圧パルスが第３の画素に供給された後において、表示すべき画像に近い画像を確実に表示することができる。従って、表示すべき画像の内容を、ユーザーが早期に視認することが可能となる。
【００２１】
本発明に係る電気泳動表示装置の駆動方法の他の態様では、前記第２の電圧パルスとは異なる極性を有する第７の電圧パルスを、前記第１及び第２の画素に供給するステップを更に含む。
【００２２】
この態様によれば、例えば、第１及び第２の画素に第２の電圧パルスを供給した後に、該第２の電圧パルスとは異なる極性を有する第７の電圧パルスを第１及び第２の画素に供給する。これにより、第１及び第２の画素の表示状態（例えば中間調状態）をより一層互いに近づけることができる。よって、第１及び第２の画素において階調をより一層細かく制御することができる。
【００２３】
本発明に係る電気泳動表示装置の駆動方法の他の態様では、前記第５の電圧パルスとは異なる極性を有する第８の電圧パルスを、前記第３及び第４の画素に供給するステップを更に含む。
【００２４】
この態様によれば、例えば、第３及び第４の画素に第５の電圧パルスを供給した後に、該第５の電圧パルスとは異なる極性を有する第８の電圧パルスを第３及び第４の画素に供給する。これにより、第３及び第４の画素の表示状態（例えば中間調状態）をより一層互いに近づけることができる。よって、第３及び第４の画素において階調をより一層細かく制御することができる。
【００２５】
本発明の作用及び他の利得は次に説明する発明を実施するための形態から明らかにされる。
【図面の簡単な説明】
【００２６】
【図１】第１実施形態に係る電気泳動表示装置の全体構成を示すブロック図である。
【図２】第１実施形態に係る電気泳動表示装置の画素の電気的な構成を示す等価回路図である。
【図３】第１実施形態に係る電気泳動表示装置の表示部の部分断面図である。
【図４】マイクロカプセルの構成を示す模式図である。
【図５】複数の中間調を含む画像の一例を表示した状態の電気泳動表示装置の表示部を示す模式図である。
【図６】第１実施形態に係る電気泳動表示装置の駆動方法を示すフローチャートである。
【図７】図６に示す各ステップが行われた際の画素ＰＸ１〜ＰＸ１２の表示状態を示す模式図（その１）である。
【図８】図６に示す各ステップが行われた際の画素ＰＸ１〜ＰＸ１２の表示状態を示す模式図（その２）である。
【図９】図６に示す各ステップが行われた際の画素ＰＸ１〜ＰＸ１２の表示状態を示す模式図（その３）である。
【図１０】第１実施形態に係る電気泳動表示装置の駆動方法を説明するための概念図（その１）である。
【図１１】第１実施形態に係る電気泳動表示装置の駆動方法を説明するための概念図（その２）である。
【図１２】第１実施形態に係る電気泳動表示装置の動作を示す概念図である。
【図１３】ステップＳＴ２０’を説明するための模式図である。
【発明を実施するための形態】
【００２７】
以下では、本発明の実施形態について図を参照しつつ説明する。
【００２８】
＜第１実施形態＞
第１実施形態に係る電気泳動表示装置の駆動方法について、図１から図１１を参照して説明する。
【００２９】
先ず、本実施形態に係る電気泳動表示装置の全体構成について、図１及び図２を参照して説明する。
【００３０】
図１は、本実施形態に係る電気泳動表示装置の全体構成を示すブロック図である。
【００３１】
図１において、本実施形態に係る電気泳動表示装置１は、表示部３と、コントローラー１０と、走査線駆動回路６０と、データ線駆動回路７０と、共通電位供給回路２２０とを備えている。
【００３２】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００３３】
コントローラー１０は、走査線駆動回路６０、データ線駆動回路７０及び共通電位供給回路２２０の動作を制御する。コントローラー１０は、例えば、クロック信号、スタートパルス等のタイミング信号を各回路に供給する。
【００３４】
走査線駆動回路６０は、コントローラー１０から供給されるタイミング信号に基づいて、走査線Ｙ１、Ｙ２、…、Ｙｍの各々に走査信号を供給する。
【００３５】
データ線駆動回路７０は、コントローラー１０から供給されるタイミング信号に基づいて、データ線Ｘ１、Ｘ２、…、Ｘｎにデータ信号を供給する。データ信号は、高電位ＶＨ（例えば１５Ｖ）又は低電位ＶＬ（例えば０Ｖ）の２値的な電位をとる。
【００３６】
共通電位供給回路２２０は、共通電位線９３に共通電位Ｖｃｏｍを供給する。
【００３７】
尚、コントローラー１０、走査線駆動回路６０、データ線駆動回路７０及び共通電位供給回路２２０には、各種の信号が入出力されるが、本実施形態と特に関係のないものについては説明を省略する。
【００３８】
図２は、画素の電気的な構成を示す等価回路図である。
【００３９】
図２において、画素２０は、画素スイッチング用トランジスター２４及びコンデンサー（保持容量）２７を有する画素回路（即ち、１Ｔ１Ｃ型の画素回路）と、画素電極２１と、共通電極２２と、電気泳動層２３とを備えている。
【００４０】
画素スイッチング用トランジスター２４は、例えばＮ型トランジスターで構成されている。画素スイッチング用トランジスター２４は、そのゲートが走査線４０に電気的に接続されており、そのソースがデータ線５０に電気的に接続されており、そのドレインが画素電極２１及びコンデンサー２７に電気的に接続されている。画素スイッチング用トランジスター２４は、データ線駆動回路７０（図１参照）からデータ線５０を介して供給されるデータ信号を、走査線駆動回路６０（図１参照）から走査線４０を介して供給される走査信号に応じたタイミングで、画素電極２１及びコンデンサー２７に出力する。
【００４１】
画素電極２１には、データ線駆動回路７０からデータ線５０及び画素スイッチング用トランジスター２４を介して、データ信号が供給される。画素電極２１は、電気泳動層２３を介して共通電極２２と互いに対向するように配置されている。
【００４２】
共通電極２２は、共通電位Ｖｃｏｍが供給される共通電位線９３に電気的に接続されている。
【００４３】
電気泳動層２３は、電気泳動粒子をそれぞれ含んでなる複数のマイクロカプセルから構成されている。
【００４４】
コンデンサー２７は、誘電体膜を介して対向配置された一対の電極からなり、一方の電極が、画素電極２１及び画素スイッチング用トランジスター２４に電気的に接続され、他方の電極が共通電位線９３に電気的に接続されている。コンデンサー２７によってデータ信号を一定期間だけ維持することができる。
【００４５】
次に、本実施形態に係る電気泳動表示装置の表示部の具体的な構成について、図３及び図４を参照して説明する。
【００４６】
図３は、本実施形態に係る電気泳動表示装置の表示部の部分断面図である。
【００４７】
図３において、表示部３は、素子基板２８と対向基板２９との間に電気泳動層２３が挟持される構成となっている。尚、本実施形態では、対向基板２９側に画像を表示することを前提として説明する。
【００４８】
素子基板２８は、例えばガラスやプラスチック等からなる基板である。素子基板２８上には、ここでは図示を省略するが、図２を参照して上述した画素スイッチング用トランジスター２４、コンデンサー２７、走査線４０、データ線５０、共通電位線９３等が作り込まれた積層構造が形成されている。この積層構造の上層側に複数の画素電極２１がマトリクス状に設けられている。
【００４９】
対向基板２９は、例えばガラスやプラスチック等からなる透明な基板である。対向基板２９における素子基板２８との対向面上には、共通電極２２が複数の画素電極２１と対向してベタ状に形成されている。共通電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００５０】
電気泳動層２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。尚、本実施形態に係る電気泳動表示装置１は、製造プロセスにおいて、電気泳動層２３が予め対向基板２９側にバインダー３０によって固定されてなる電気泳動シートが、別途製造された、画素電極２１等が形成された素子基板２８側に接着層３１によって接着されて構成されている。
【００５１】
マイクロカプセル８０は、画素電極２１及び共通電極２２間に挟持され、１つの画素２０内に（言い換えれば、１つの画素電極２１に対して）１つ又は複数配置されている。
【００５２】
図４は、マイクロカプセルの構成を示す模式図である。尚、図４では、マイクロカプセルの断面を模式的に示している。
【００５３】
図４において、マイクロカプセル８０は、被膜８５の内部に分散媒８１と、複数の白色粒子８２と、複数の黒色粒子８３とが封入されてなる。マイクロカプセル８０は、例えば、５０ｕｍ程度の粒径を有する球状に形成されている。
【００５４】
被膜８５は、マイクロカプセル８０の外殻として機能し、ポリメタクリル酸メチル、ポリメタクリル酸エチル等のアクリル樹脂、ユリア樹脂、アラビアガム、ゼラチン等の透光性を有する高分子樹脂から形成されている。
【００５５】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００５６】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００５７】
黒色粒子８３は、例えば、アニリンブラック、カーボンブラック等の黒色顔料からなる粒子（高分子或いはコロイド）であり、例えば正に帯電されている。
【００５８】
このため、白色粒子８２及び黒色粒子８３は、画素電極２１と共通電極２２との間の電位差によって発生する電場によって、分散媒８１中を移動することができる。
【００５９】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００６０】
図３及び図４において、画素電極２１と共通電極２２との間に、相対的に共通電極２２の電位が高くなるように電圧が印加された場合には、正に帯電された黒色粒子８３はクーロン力によってマイクロカプセル８０内で画素電極２１側に引き寄せられると共に、負に帯電された白色粒子８２はクーロン力によってマイクロカプセル８０内で共通電極２２側に引き寄せられる。この結果、マイクロカプセル８０内の表示面側（即ち、共通電極２２側）に白色粒子８２が集まることで、表示部３の表示面にこの白色粒子８２の色（即ち、白色）を表示することができる。逆に、画素電極２１と共通電極２２との間に、相対的に画素電極２１の電位が高くなるように電圧が印加された場合には、負に帯電された白色粒子８２がクーロン力によって画素電極２１側に引き寄せられると共に、正に帯電された黒色粒子８３はクーロン力によって共通電極２２側に引き寄せられる。この結果、マイクロカプセル８０の表示面側に黒色粒子８３が集まることで、表示部３の表示面にこの黒色粒子８３の色（即ち、黒色）を表示することができる。
【００６１】
尚、以下では、共通電極２２の電位が画素電極２１の電位よりも高い場合に共通電極２２と画素電極２１との間に生じる電位差（即ち、電圧）を「正極性の電圧」と適宜称し、共通電極２２の電位が画素電極２１の電位よりも低い場合に共通電極２２と画素電極２１との間に生じる電位差を「負極性の電圧」と適宜称する。尚、共通電極２２は本発明に係る「第１電極」の一例であり、画素電極２１は本発明に係る「第２電極」の一例である。また、正極性は本発明に係る「第１の極性」の一例であり、負極性は本発明に係る「第２の極性」の一例である。
【００６２】
即ち、画素２０に正極性の電圧を印加することにより、該画素２０に白色を表示させることができ、画素２０に負極性の電圧を印加することにより、該画素２０に黒色を表示させることができる。尚、画素２０が白色を表示する状態は本発明に係る「第１表示状態」の一例であり、画素２０が黒色を表示する状態は本発明に係る「第２表示状態」の一例である。
【００６３】
尚、共通電極２２を本発明に係る「第２電極」とし、画素電極２１を本発明に係る「第１電極」としてもよい。
【００６４】
更に、画素電極２１及び共通電極２２間における白色粒子８２及び黒色粒子８３の分布状態によって、白色と黒色との中間調（即ち、中間階調）である、ライトグレー、グレー、ダークグレー等の灰色を表示することができる。例えば、画素電極２１と共通電極２２との間に相対的に共通電極２２の電位が高くなるように電圧を印加することで（即ち、正極性の電圧を印加することで）、マイクロカプセル８０の表示面側に白色粒子８２を集めると共に画素電極２１側に黒色粒子８３を集めた後に、表示すべき中間調に応じた所定期間だけ、画素電極２１と共通電極２２との間に相対的に画素電極２１の電位が高くなるように電圧を印加することで（即ち、負極性の電圧を印加することで）、マイクロカプセル８０の表示面側に黒色粒子８３を所定量だけ移動させると共に画素電極２１側に白色粒子８２を所定量だけ移動させる。この結果、表示部３の表示面に白色と黒色との中間調である灰色を表示することができる。
【００６５】
尚、白色粒子８２、黒色粒子８３に用いる顔料を、例えば赤色、緑色、青色等の顔料に代えることによって、赤色、緑色、青色等を表示することができる。
【００６６】
次に、本実施形態に係る電気泳動表示装置の駆動方法について、図５から図１１を参照して説明する。
【００６７】
以下では、図５に示すような複数の中間調を含む画像を表示部３に表示させる場合を例にとる。ここに図５は、複数の中間調を含む画像の一例を表示した状態の電気泳動表示装置の表示部を示す模式図である。図５に示す複数の中間調を含む画像は、１２階調の画像であり、第０階調が黒色に相当し、第１から第１０階調がそれぞれ濃度の異なる灰色に相当し、第１１階調が白色に相当する。また、説明の便宜上、表示部３には１２個の画素２０（即ち、画素ＰＸ１、ＰＸ２、…、ＰＸ１２）が配置されているものとする。
【００６８】
即ち、図５に示すように、画素ＰＸ１に第１１階調を表示させ、画素ＰＸ２に第１０階調を表示させ、画素ＰＸ３に第９階調を表示させ、画素ＰＸ４に第８階調を表示させ、画素ＰＸ５に第７階調を表示させ、画素ＰＸ６に第６階調を表示させ、画素ＰＸ７に第５階調を表示させ、画素ＰＸ８に第４階調を表示させ、画素ＰＸ９に第３階調を表示させ、画素ＰＸ１０に第２階調を表示させ、画素ＰＸ１１に第１階調を表示させ、画素ＰＸ１２に第０階調を表示させる場合を例にとる。
【００６９】
図６は、本実施形態に係る電気泳動表示装置の駆動方法を示すフローチャートであり、図７から図９は、図６に示す各ステップが行われた際の画素ＰＸ１〜ＰＸ１２の表示状態を示す模式図である。
【００７０】
図６において、本実施形態に係る電気泳動表示装置の駆動方法によれば、例えば図５に示すような中間調を含む画像を表示する際、先ず、白表示へのリセットを行う（ステップＳＴ１０）。即ち、図７（ａ）に示すように、表示部３における全ての画素２０に正極性の電圧を印加することにより、全ての画素２０に白色（即ち、第１１階調）を表示させる。より具体的には、各画素２０において、画素スイッチング用トランジスター２４を介してデータ線５０からコンデンサー２７にデータ信号を蓄え、画素電極２１に高電位ＶＨの電圧を所定時間だけ供給すると共に、共通電位供給回路２２０から共通電極２２に、低電位ＶＬで一定の共通電位Ｖｃｏｍを供給する。
【００７１】
次に、図６において、黒側階調の画素を黒表示とする（ステップＳＴ２０）。即ち、図７（ｂ）に示すように、表示部３における複数の画素２０のうち黒色（即ち、第０階調）側に近い階調（即ち、図５の例では、第０階調から第５階調）を表示すべき画素ＰＸ７〜ＰＸ１２に黒色（即ち、第０階調）を表示させる。より具体的には、画素ＰＸ７〜ＰＸ１２の各々において、画素スイッチング用トランジスター２４を介してデータ線５０からコンデンサー２７にデータ信号を蓄え、画素電極２１に低電位ＶＬの電圧を所定時間だけ供給すると共に、共通電位供給回路２２０から共通電極２２に、高電位ＶＨで一定の共通電位Ｖｃｏｍを供給する。
【００７２】
次に、図６において、初期階調表示を行う（ステップＳＴ２１）。即ち、図７（ｃ）に示すように、表示部３における白色（即ち、第１１階調）を表示している画素ＰＸ１〜ＰＸ６のうち第９階調を表示すべき画素ＰＸ３と第８階調を表示すべき画素ＰＸ４と第７階調を表示すべき画素ＰＸ５と第６階調を表示すべき画素ＰＸ６とに負極性の電圧パルスを供給することにより、つまり、第９階調を表示すべき画素ＰＸ３と第８階調を表示すべき画素ＰＸ４と第７階調を表示すべき画素ＰＸ５と第６階調を表示すべき画素ＰＸ６の各々の画素電極２１と共通電極２２との間に負極性の電圧を印加することにより、画素ＰＸ３〜ＰＸ６の各々に第１１階調と第６階調との間の階調（例えば第９階調）を表示させる。更に、表示部３における黒色（即ち、第０階調）を表示している画素ＰＸ７〜ＰＸ１０のうち第２階調を表示すべき画素ＰＸ１０と第３階調を表示すべき画素ＰＸ９と第４階調を表示すべき画素ＰＸ８と第５階調を表示すべき画素ＰＸ７とに正極性の電圧パルスを供給することにより、つまり、第２階調を表示すべき画素ＰＸ１０と第３階調を表示すべき画素ＰＸ９と第４階調を表示すべき画素ＰＸ８と第５階調を表示すべき画素ＰＸ７の各々の画素電極２１と共通電極２２との間に正極性の電圧を印加することにより、画素ＰＸ７〜ＰＸ１０の各々に第０階調と第５階調との間の階調（例えば第２階調）を表示させる。
【００７３】
ここで本実施形態では特に、例えば図５に示すような中間調を含む画像を表示する際、初期階調表示（ステップＳＴ２１）において、例えば画素ＰＸ３〜ＰＸ６の各々が表示すべき中間調に白色（第１１階調）よりも近い中間調（例えば第９階調）を、画素ＰＸ３〜ＰＸ６の各々に表示させると共に、例えば画素ＰＸ７〜ＰＸ１０の各々が表示すべき中間調に黒色（第０階調）よりも近い中間調（例えば第２階調）を、画素ＰＸ７〜ＰＸ１０の各々に表示させる。よって、例えば図５に示すような中間調を含む画像を表示する際、表示すべき画像を、表示すべき階調よりも粗い階調で迅速に表示することができる。言い換えれば、例えば図５に示すような中間調を含む画像を表示する際、初期の段階で、表示すべき画像に近い画像を表示することができる。従って、表示すべき画像の内容を、ユーザーが早期に視認することが可能となる。
【００７４】
初期階調表示を行う（ステップＳＴ２１）において、画素ＰＸ３〜画素ＰＸ１０によって表示させる階調レベルの精度が低いと、最終的に得られる画像における階調表現性が低下する。そこで、ステップＳＴ２１において画素ＰＸ３〜画素ＰＸ１０によって表示される階調レベルの精度が低い場合には、以下の方法を用いて精度を高めると良い。
【００７５】
第１１階調を表示している画素ＰＸ３〜画素ＰＸ６に対して、まず初めに正極性の補償電圧パルスＰｃ１を印加する。正極性の補償電圧パルスＰｃ１を印加することによって、白色粒子８２に対して共通電極２２側（即ち、表示面側）に向かうクーロン力を加えると共に黒色粒子８３に対して画素電極２１側に向かうクーロン力を加える。その後、第９階調を表示するための負極性の電圧パルスを画素ＰＸ３〜画素ＰＸ６に印加する。第９階調を表示するための負極性の電圧パルスと補償電圧パルスＰｃ１との間隔が短いほど、階調レベルの精度が高くなる。一方、第０階調を表示している画素ＰＸ７〜画素ＰＸ１０に対しては、まず初めに負極性の補償電圧パルスＰｃ２を印加する。負極性の補償電圧パルスＰｃ２を印加することによって、黒色粒子８３に対して共通電極２２側（即ち、表示面側）に向かうクーロン力を加えると共に白色粒子８２に対して画素電極２１側に向かうクーロン力を加える。その後、第２階調を表示するための正極性の電圧パルスを画素ＰＸ７〜画素ＰＸ１０に印加する。第２階調を表示するための正極性の電圧パルスと補償電圧パルスＰｃ２との間隔が短いほど、階調レベルの精度が高くなる。
【００７６】
階調レベルの精度を高くするためには、次に説明する第２の方法を用いても良い。まず初めに、第１１階調を表示している画素ＰＸ３〜画素ＰＸ６に対して、負極性の電圧パルスを印加する。次に、正極性の補償電圧パルスＰｃ３を画素ＰＸ３〜画素ＰＸ６に印加する。一方、第０階調を表示している画素ＰＸ７〜画素ＰＸ１０に対しては、初めに正極性の電圧パルスを印加する。次に、負極性の補償電圧パルスＰｃ４を画素ＰＸ７〜画素ＰＸ１０に印加する。第２の方法により、階調レベルの精度が高くなる。
【００７７】
図１２を用いて本発明による作用を説明する。図１２は、本実施形態に係る電気泳動表示装置の動作を示す概念図である。尚、図１２は、黒書き込み（ステップＳＴ２２０）及び白書き込み（ステップＳＴ２３０）による、第９階調を表示すべき画素に表示される色の濃度の変化を概念的に示している。時刻ｔ１から時刻ｔ２はステップＳＴ２２０に対応し、時刻ｔ３から時刻ｔ４はステップＳＴ２３０に対応している。また、プロット１はたとえば画素ＰＸ３における明るさ（色の濃度）の変化を示し、プロット２はたとえば画素ＰＸ４における明るさ（色の濃度）の変化を示し、プロット３はたとえば画素ＰＸ５における明るさ（色の濃度）の変化を示している。また、Δｔは負極性の電圧を印加してから明るさが変化し始めるまでの遅れ時間であり、Δｔ２０１は画素ＰＸ３におけるステップＳＴ２０での遅れ時間であり、Δｔ２０２は画素ＰＸ４におけるステップＳＴ２０での遅れ時間であり、Δｔ２０３は画素ＰＸ５におけるステップＳＴ２０での遅れ時間であり、Δｔ３０１は画素ＰＸ３におけるステップＳＴ３０での遅れ時間であり、Δｔ３０２は画素ＰＸ４におけるステップＳＴ３０での遅れ時間であり、Δｔ３０３は画素ＰＸ５におけるステップＳＴ３０での遅れ時間である。
【００７８】
ここで、画素ＰＸ３において表示すべき階調と画素ＰＸ４において表示すべき階調と画素ＰＸ５において表示すべき階調は、いずれも第９階調（Ｇ０）であり、画素ＰＸ３と画素ＰＸ４と画素ＰＸ５各々に互いに同一の持続時間を有する負極性の駆動電圧を印加するものとする。本来、ステップＳＴ２２０において、画素ＰＸ３と画素ＰＸ４と画素ＰＸ５各々に、階調Ｇ０を表示するために互いに同一の持続時間を有する負極性の駆動電圧を印加した場合、ステップＳＴ２２０が終了する時刻ｔ２において、画素ＰＸ３の明るさと画素ＰＸ４の明るさと画素ＰＸ５の明るさとはいずれもＧ０になるはずである。しかし、実際には図１２に示したように、画素によって遅れ時間Δｔが異なる場合があるため、時刻ｔ２において、画素ＰＸ３の明るさはＧ１となり、画素ＰＸ４の明るさはＧ２となり、画素ＰＸ５の明るさはＧ３（Ｇ０）となる。明るさＧ１と明るさＧ３（Ｇ０）との差が階調表示の精度を低下させる原因である。階調表示の精度の低下は、階調を表示するために印加する電圧の持続時間が短いほど顕著である。
【００７９】
そこで、ステップＳＴ２２０の後にステップＳＴ２３０を実行する。まず、ステップＳＴ２２０において、前述したように画素ＰＸ３と画素ＰＸ４と画素ＰＸ５各々に互いに同一の持続時間を有する負極性の駆動電圧を印加する。次に、ステップＳＴ２３０において、画素ＰＸ３と画素ＰＸ４と画素ＰＸ５各々に互いに同一の持続時間を有する正極性の補償電圧Ｐｃ３を印加すると、画素ＰＸ３の明るさは遅れ時間Δｔ３０１の後に明るい方向に向かって変化し始め、画素ＰＸ４の明るさは遅れ時間Δｔ３０２の後に明るい方向に向かって変化し始める。しかしここでは、ステップＳＴ２３０の継続時間は画素ＰＸ５の遅れ時間Δｔ３０３と等しく設定されているため、画素ＰＸ５の明るさはステップＳＴ２３０の間に変化することはなく、明るさＧ０を維持する。
【００８０】
発明者の実験によれば、遅れ時間が生じる原因は、電気泳動粒子が動き始めるための閾値電圧が存在するということと、コンデンサー２７に十分な電荷が蓄えられなければ電気泳動層に十分な電圧が印加されない、ということが関係していると考えられる。電気泳動粒子が動き始めるために十分な電圧が画素に印加されるためには、コンデンサー２７に十分な電荷が蓄えられなければならない。しかし、製造上のばらつきのためにコンデンサー２７の充電速度に個体差があれば、コンデンサー２７に電圧を印加してから画素に十分な電圧が印加されるまでに必要な時間が、画素によって異なると考えられる。この現象が画素による遅れ時間Δｔの差の原因の１つと考えられる。そして、遅れ時間Δｔ２０１は遅れ時間Δｔ３０１とほぼ等しく、遅れ時間Δｔ２０２は遅れ時間Δｔ３０２とほぼ等しく、遅れ時間Δｔ２０３は遅れ時間Δｔ３０３とほぼ等しい。
【００８１】
かくしてステップＳＴ２３０の終了時刻ｔ４においては、画素ＰＸ３の明るさと画素ＰＸ４の明るさと画素ＰＸ５の明るさはいずれもほぼ同じとなり、画素ＰＸ３と画素ＰＸ４と画素ＰＸ５各々において、目的とする階調Ｇ０と同じかほぼ同じ階調を表示することができる。すなわち、階調表示の精度を高くすることができる。
【００８２】
ステップＳＴ２３０において、２つの画素各々に印加する補償電圧の持続時間が互いに異なっていても、２つの画素各々の明るさの差を小さくすることができるため、階調表示の精度を高くする効果が得られる。
【００８３】
図１２においては、ステップＳＴ２３０の継続時間は画素ＰＸ５の遅れ時間Δｔ３０３と等しく設定されているが、必ずしも等しくする必要はない。ステップＳＴ２３０の継続時間は、少なくとも画素ＰＸ５の遅れ時間Δｔ３０１よりも長ければ階調表示の精度を高くする効果が得られる。また、ステップＳＴ２３０の継続時間が画素ＰＸ５の遅れ時間Δｔ３０３よりも長ければ、画素ＰＸ３の明るさと画素ＰＸ４の明るさと画素ＰＸ５の明るさはいずれも波線に示したように明るい状態に向かって変化するが、ステップＳＴ２３０が終了したときには、画素ＰＸ３の明るさと画素ＰＸ４の明るさと画素ＰＸ５の明るさはいずれもほぼ同じ階調を表示することができる。すなわち、階調表示の精度を高くすることができる。
【００８４】
また、図１２においては、ステップＳＴ２２０とステップＳＴ２３０との間に間隔が空いているが、その間隔は短い方がより効果的に階調表示の精度を高くすることができる。好ましくは、その間隔がない方がよい。
【００８５】
階調レベルの精度を高くするためには、次に説明する第３の方法を用いても良い。図７（ｂ）で示した例では、黒側階調の画素を黒表示とする（ステップＳＴ２０）において、画素ＰＸ７〜画素ＰＸ１２の表示状態を第０階調としたが、そのかわりにステップＳＴ２０’として、図１３に示したように、画素ＰＸ３〜画素ＰＸ６と画素ＰＸ１１と画素ＰＸ１２の表示状態を第０階調とする。そしてステップＳＴ２１において、画素ＰＸ３〜画素ＰＸ６に対しては、第９階調を表示するための正極性の電圧パルスを印加し、画素ＰＸ７〜画素ＰＸ１０に対しては、第２階調を表示するための負極性の電圧パルスを印加する。つまり、初期階調表示において目的とする階調レベルが白に近い階調であれば、ステップＳＴ２０では、その階調から遠い黒を書き込み、初期階調表示において目的とする階調レベルが黒に近い階調であれば、ステップＳＴ２０では、その階調から遠い白を書き込む。既に述べたように、階調表示の精度の低下は、階調を表示するために印加する電圧の持続時間が短いほど顕著である。第３の方法によれば、図７で説明した方法と比較して、ステップＳＴ２１において画素ＰＸ３〜画素ＰＸ１０において表示される階調レベルの変化が大きいため、画素ＰＸ３〜画素ＰＸ１０に印加される電圧の持続時間は長い。そのため、図７で説明した方法よりも画素ＰＸ３〜画素ＰＸ１０における階調の精度を高くすることができる。
【００８６】
次に、図６において、超過方向白予備駆動を行う（ステップＳＴ３０）。即ち、表示部３における複数の画素２０のうち第１１階調を表示すべき画素２０と第１０階調を表示すべき画素２０とに正極性の電圧パルスを供給することにより、つまり、第１１階調を表示すべき画素２０と第１０階調を表示すべき画素２０の各々の画素電極２１と共通電極２２との間に正極性の電圧を印加することにより、白色粒子８２に対して共通電極２２側（即ち、表示面側）に向かうクーロン力を加えると共に黒色粒子８３に対して画素電極２１側に向かうクーロン力を加える。図５の例では、表示部３における複数の画素２０のうち、第１１階調を表示すべき画素ＰＸ１に正極性の電圧パルスＰ１（後述する図１０参照）を供給し、第１０階調を表示すべき画素ＰＸ２に正極性の電圧パルスＰ２（後述する図１０参照）を供給する。尚、画素ＰＸ１は本発明に係る「第１の画素」の一例であり、画素ＰＸ２は本発明に係る「第２の画素」の一例であり、電圧パルスＰ１は本発明に係る「第１の電圧パルス」の一例であり、電圧パルスＰ２は本発明に係る「第３の電圧パルス」の一例である。よって、図７（ｄ）に示すように、画素ＰＸ１及びＰＸ２は、第１１階調を表示している状態よりも、白色粒子８２が共通電極２２側に寄った状態（以下、説明の便宜上、第１１階調よりも高い階調の状態として適宜説明する）となる。ここで、第１１階調を表示すべき画素２０に供給する正極性の電圧パルスの持続時間と第１０階調を表示すべき画素２０に供給する正極性の電圧パルスの持続時間とは互いに異なる。本実施形態では、第１１階調を表示すべき画素ＰＸ１に供給する正極性の電圧パルスＰ１の持続時間Ｔ１は、第１０階調を表示すべき画素ＰＸ２に供給する正極性の電圧パルスＰ２の持続時間Ｔ２よりも長い。よって、画素ＰＸ１は、画素ＰＸ２よりも、白色粒子８２が共通電極２２側に寄った状態となる。従って、図７（ｄ）に示すように、画素ＰＸ１は例えば第１５階調の状態となり、画素ＰＸ２は例えば第１３階調の状態となる。尚、ここでの第１５階調及び第１３階調は、白色粒子８２が共通電極２２側に寄った状態の度合いを示すための便宜上のものであり、表示状態としての第０階調から第１１階調とは異なる。例えば第１５階調の状態の画素ＰＸ１及び例えば第１３階調の状態の画素ＰＸ２のいずれも、白色（即ち、第１１階調）を表示する。
【００８７】
次に、図６において、超過方向黒予備駆動を行う（ステップＳＴ４０）。即ち、表示部３における複数の画素２０のうち第０階調を表示すべき画素２０と第１階調を表示すべき画素２０とに負極性の電圧パルスを供給することにより、つまり、第０階調を表示すべき画素２０と第１階調を表示すべき画素２０の各々の画素電極２１と共通電極２２との間に負極性の電圧を印加することにより、黒色粒子８３に対して共通電極２２側（即ち、表示面側）に向かうクーロン力を加えると共に白色粒子８２に対して画素電極２１側に向かうクーロン力を加える。図５の例では、表示部３における複数の画素２０のうち、第０階調を表示すべき画素ＰＸ１２に負極性の電圧パルスＰ１２（後述する図１１参照）を供給し、第１階調を表示すべき画素ＰＸ１１に負極性の電圧パルスＰ１１（後述する図１１参照）を供給する。尚、画素ＰＸ１２は本発明に係る「第３の画素」の一例であり、画素ＰＸ１１は本発明に係る「第４の画素」の一例であり、電圧パルスＰ１２は本発明に係る「第４の電圧パルス」の一例であり、電圧パルスＰ１１は本発明に係る「第６の電圧パルス」の一例である。よって、図７（ｅ）に示すように、画素ＰＸ１１及びＰＸ１２は、第０階調を表示している状態よりも、黒色粒子８３が共通電極２２側に寄った状態（以下、説明の便宜上、第０階調よりも低い階調の状態として適宜説明する）となる。ここで、第０階調を表示すべき画素２０に供給する負極性の電圧パルスの持続時間と第１階調を表示すべき画素２０に供給する負極性の電圧パルスの持続時間とは互いに異なる。本実施形態では、第０階調を表示すべき画素ＰＸ１２に供給する負極性の電圧パルスＰ１２の持続時間Ｔ１２は、第１階調を表示すべき画素ＰＸ１１に供給する負極性の電圧パルスＰ１１の持続時間Ｔ１１よりも長い。よって、画素ＰＸ１２は、画素ＰＸ１１よりも、黒色粒子８３が共通電極２２側に寄った状態となる。従って、図７（ｅ）に示すように、画素ＰＸ１２は例えば第−４階調の状態となり、画素ＰＸ１１は例えば第−２階調の状態となる。尚、ここでの第−４階調及び第−２階調は、黒色粒子８３が共通電極２２側に寄った状態の度合いを示すための便宜上のものであり、表示状態としての第０階調から第１１階調とは異なる。例えば第−４階調の状態の画素ＰＸ１２及び例えば第−２階調の状態の画素ＰＸ１１のいずれも、黒色（即ち、第０階調）を表示する。
【００８８】
次に、図６において、第１黒書き込みを行う（ステップＳＴ５０）。即ち、表示部３における複数の画素２０のうち、超過方向白予備駆動（ステップＳＴ３０）によって、表示すべき階調よりも高い階調の状態とされた画素２０に負極性の電圧パルスを供給する。図５の例では、表示部３における複数の画素２０のうち、超過方向白予備駆動（ステップＳＴ３０）が行われた画素ＰＸ１及びＰＸ２に負極性の電圧パルスＰｂ１（後述する図１０参照）を供給する。尚、電圧パルスＰｂ１は本発明に係る「第２の電圧パルス」の一例である。これにより、図８（ａ）に示すように、画素ＰＸ１に第１１階調（即ち、白色）を表示させ、画素ＰＸ２に第１０階調を表示させることができる。即ち、画素ＰＸ１及びＰＸ２に表示すべき階調を表示させることができる。
【００８９】
次に、図６において、第１白書き込みを行う（ステップＳＴ６０）。即ち、表示部３における複数の画素２０のうち、超過方向黒予備駆動（ステップＳＴ４０）によって、表示すべき階調よりも低い階調の状態とされた画素２０に正極性の電圧パルスを供給する。図５の例では、表示部３における複数の画素２０のうち、超過方向黒予備駆動（ステップＳＴ４０）が行われた画素ＰＸ１２及びＰＸ１１に正極性の電圧パルスＰｗ１（後述する図１１参照）を供給する。尚、電圧パルスＰｗ１は本発明に係る「第５の電圧パルス」の一例である。これにより、図８（ｂ）に示すように、画素ＰＸ１２に第０階調（即ち、黒色）を表示させ、画素ＰＸ１１に第１階調を表示させることができる。即ち、画素ＰＸ１２及びＰＸ１１に表示すべき階調を表示させることができる。
【００９０】
次に、図６において、順方向黒予備駆動を行う（ステップＳＴ７０）。即ち、表示部３における複数の画素２０のうち第９階調を表示すべき画素２０と第８階調を表示すべき画素２０と第７階調を表示すべき画素２０と第６階調を表示すべき画素２０とに負極性の電圧パルスを供給することにより、つまり、第９階調を表示すべき画素２０と第８階調を表示すべき画素２０と第７階調を表示すべき画素２０と第６階調を表示すべき画素２０との各々の画素電極２１と共通電極２２との間に負極性の電圧を印加することにより、黒色粒子８３を共通電極２２側（即ち、表示面側）に移動させると共に白色粒子８２を画素電極２１側に移動させる。図５の例では、表示部３における複数の画素２０のうち、第９階調を表示すべき画素ＰＸ３と第７階調を表示すべき画素ＰＸ５とに負極性の電圧パルスＰ３（後述する図１０参照）を供給し、第８階調を表示すべき画素ＰＸ４と第６階調を表示すべき画素ＰＸ６とに負極性の電圧パルスＰ４（後述する図１０参照）を供給する。画素ＰＸ３及びＰＸ５は本発明に係る「第１の画素」の一例であり、画素ＰＸ４及びＰＸ６は本発明に係る「第２の画素」の一例であり、電圧パルスＰ３は本発明に係る「第１の電圧パルス」の一例であり、電圧パルスＰ４は本発明に係る「第３の電圧パルス」の一例である。ここで、第９階調を表示すべき画素２０と第７階調を表示すべき画素２０とに供給する負極性の電圧パルスの持続時間と、第８階調を表示すべき画素２０と第６階調を表示すべき画素２０とに供給する負極性の電圧パルスの持続時間とは互いに異なる。本実施形態では、第８階調を表示すべき画素ＰＸ４と第６階調を表示すべき画素ＰＸ６とに供給する負極性の電圧パルスＰ４の持続時間Ｔ４は、第９階調を表示すべき画素ＰＸ３と第７階調を表示すべき画素ＰＸ５とに供給する負極性の電圧パルスＰ３の持続時間Ｔ３よりも長い。よって、画素ＰＸ４及びＰＸ６は、画素ＰＸ３及びＰＸ５よりも、黒色（即ち、第０階調）に近い表示状態となる。従って、図８（ｃ）に示すように、画素ＰＸ３及びＰＸ５は例えば第６階調を表示し、画素ＰＸ４及びＰＸ６は例えば第４階調を表示する。
【００９１】
次に、図６において、順方向白予備駆動を行う（ステップＳＴ８０）。即ち、表示部３における複数の画素２０のうち第５階調を表示すべき画素２０と第４階調を表示すべき画素２０と第３階調を表示すべき画素２０と第２階調を表示すべき画素２０とに正極性の電圧パルスを供給することにより、つまり、第５階調を表示すべき画素２０と第４階調を表示すべき画素２０と第３階調を表示すべき画素２０と第２階調を表示すべき画素２０との各々の画素電極２１と共通電極２２との間に正極性の電圧を印加することにより、白色粒子８２を共通電極２２側（即ち、表示面側）に移動させると共に黒色粒子８３を画素電極２１側に移動させる。図５の例では、表示部３における複数の画素２０のうち、第２階調を表示すべき画素ＰＸ１０と第４階調を表示すべき画素ＰＸ８とに正極性の電圧パルスＰ１０（後述する図１１参照）を供給し、第３階調を表示すべき画素ＰＸ９と第５階調を表示すべき画素ＰＸ７とに正極性の電圧パルスＰ９（後述する図１１参照）を供給する。尚、画素ＰＸ１０及びＰＸ８は本発明に係る「第１の画素」の一例であり、画素ＰＸ９及びＰＸ７は本発明に係る「第２の画素」の一例であり、電圧パルスＰ１０は本発明に係る「第４の電圧パルス」の一例であり、電圧パルスＰ９は本発明に係る「第６の電圧パルス」の一例である。ここで、第２階調を表示すべき画素２０と第４階調を表示すべき画素２０とに供給する負極性の電圧パルスの持続時間と、第３階調を表示すべき画素２０と第５階調を表示すべき画素２０とに供給する正極性の電圧パルスの持続時間とは互いに異なる。本実施形態では、第３階調を表示すべき画素ＰＸ９と第５階調を表示すべき画素ＰＸ７とに供給する正極性の電圧パルスＰ９の持続時間Ｔ９は、第２階調を表示すべき画素ＰＸ１０と第４階調を表示すべき画素ＰＸ８とに供給する正極性の電圧パルスＰ１０の持続時間Ｔ１０よりも長い。よって、画素ＰＸ９及びＰＸ７は、画素ＰＸ１０及びＰＸ８よりも、白色（即ち、第１１階調）に近い表示状態となる。従って、図８（ｄ）に示すように、画素ＰＸ１０及びＰＸ８は例えば第５階調を表示し、画素ＰＸ９及びＰＸ７は例えば第７階調を表示する。
【００９２】
次に、図６において、第２白書き込みを行う（ステップＳＴ９０）。即ち、表示部３における複数の画素２０のうち、順方向黒予備駆動（ステップＳＴ７０）によって、表示すべき階調よりも低い階調とされた画素２０に正極性の電圧パルスを供給する。図５の例では、表示部３における複数の画素２０のうち、順方向黒予備駆動（ステップＳＴ７０）が行われた画素ＰＸ３〜ＰＸ６に正極性の電圧パルスＰｗ２（後述する図１０参照）を供給する。尚、電圧パルスＰｗ２は本発明に係る「第２の電圧パルス」の一例である。これにより、図９（ａ）に示すように、画素ＰＸ３に第９階調を表示させ、画素ＰＸ４に第８階調を表示させることができる。即ち、画素ＰＸ３及びＰＸ４に表示すべき階調を表示させることができる。この際、画素ＰＸ５は例えば第９階調を表示し、画素ＰＸ６は例えば第８階調を表示する。
【００９３】
次に、図６において、第２黒書き込みを行う（ステップＳＴ１００）。即ち、表示部３における複数の画素２０のうち、順方向白予備駆動（ステップＳＴ８０）によって、表示すべき階調よりも高い階調とされた画素２０に負極性の電圧パルスを供給する。図５の例では、表示部３における複数の画素２０のうち、順方向白予備駆動（ステップＳＴ８０）が行われた画素ＰＸ７〜ＰＸ１０に負極性の電圧パルスＰｂ２（後述する図１１参照）を供給する。尚、電圧パルスＰｂ２は本発明に係る「第５の電圧パルス」の一例である。これにより、図９（ｂ）に示すように、画素ＰＸ１０に第２階調を表示させ、画素ＰＸ９に第３階調を表示させることができる。即ち、画素ＰＸ１０及びＰＸ９に表示すべき階調を表示させることができる。この際、画素ＰＸ８は例えば第２階調を表示し、画素ＰＸ７は例えば第３階調を表示する。
【００９４】
次に、図６において、中間部黒書き込みを行う（ステップＳＴ１１０）。即ち、表示部３における複数の画素２０のうち、第２白書き込み（ステップＳＴ９０）によって、表示すべき階調よりも高い階調とされた画素２０に負極性の電圧パルスを供給する。図５の例では、表示部３における複数の画素２０のうち、第２白書き込み（ステップＳＴ９０）が行われることにより表示すべき階調よりも高い階調となった画素ＰＸ５及びＰＸ６に負極性の電圧パルスＰｂ３（後述する図１０参照）を供給する。尚、電圧パルスＰｂ３は本発明に係る「第７の電圧パルス」の一例である。これにより、図９（ｃ）に示すように、画素ＰＸ５に第７階調を表示させ、画素ＰＸ６に第６階調を表示させることができる。即ち、画素ＰＸ５及びＰＸ６に表示すべき階調を表示させることができる。
【００９５】
次に、図６において、中間部白書き込みを行う（ステップＳＴ１２０）。即ち、表示部３における複数の画素２０のうち、第２黒書き込み（ステップＳＴ１００）によって、表示すべき階調よりも低い階調とされた画素２０に正極性の電圧パルスを供給する。図５の例では、表示部３における複数の画素２０のうち、第２黒書き込み（ステップＳＴ１００）が行われることにより表示すべき階調よりも低い階調となった画素ＰＸ８及びＰＸ７に正極性の電圧パルスＰｗ３（後述する図１１参照）を供給する。尚、電圧パルスＰｗ３は本発明に係る「第８の電圧パルス」の一例である。これにより、図９（ｄ）に示すように、画素ＰＸ８に第４階調を表示させ、画素ＰＸ７に第５階調を表示させることができる。即ち、画素ＰＸ８及びＰＸ７に表示すべき階調を表示させることができる。
【００９６】
以上説明したように、本実施形態によれば、図６を参照して上述したステップＳＴ１０〜ＳＴ１２０を行うことにより、例えば図５に示したような１２階調の画像を表示させることができる。更に、本実施形態によれば、初期階調表示（ステップＳＴ２１）を行うので、中間調を含む画像を表示する際、初期の段階で、表示すべき画像に近い画像を表示することができる。
【００９７】
次に、本実施形態に係る電気泳動表示装置の駆動方法について、図１０及び図１１を参照して説明を加える。
【００９８】
図１０及び図１１は、本実施形態に係る電気泳動表示装置の駆動方法を説明するための概念図である。尚、図１０は、図５に示した画素ＰＸ１〜ＰＸ５について、図６を参照して上述した各ステップにおいて供給される電圧パルスと、該電圧パルスが供給された際の画素の表示状態の変化を概念的に示している。図１１は、図５に示した画素ＰＸ６〜ＰＸ１２について、図６を参照して上述した各ステップにおいて供給される電圧パルスと、該電圧パルスが供給された際の画素の表示状態の変化を概念的に示している。また、図１０及び図１１において、横軸は、画素の表示状態である階調（言い換えれば、画素に表示される色の濃度）を示している。
【００９９】
図１０において、本実施形態に係る駆動方法によれば、白色（即ち、第１１階調）を表示している画素ＰＸ１に超過方向白予備駆動（ステップＳＴ３０）において正極性の電圧パルスＰ１を供給することにより、画素ＰＸ１を、第１１階調よりも白色粒子８２が共通電極２２側に寄った状態（例えば第１５階調の状態）とし、白色（即ち、第１１階調）を表示している画素ＰＸ２に超過方向白予備駆動（ステップＳＴ３０）において正極性の電圧パルスＰ２を供給することにより、画素ＰＸ２を、第１１階調よりも白色粒子８２が共通電極２２側に寄った状態（例えば第１３階調の状態）とする。ここで、本実施形態では、電圧パルスＰ１の持続時間Ｔ１は、電圧パルスＰ２の持続時間Ｔ２よりも長く設定されており、画素ＰＸ１は、画素ＰＸ２よりも、白色粒子８２が共通電極２２側に寄った状態となる。
【０１００】
このように超過方向白予備駆動（ステップＳＴ３０）が行われた画素ＰＸ１及びＰＸ２に、第１黒書き込み（ステップＳＴ５０）において負極性の電圧パルスＰｂ１を供給する。これにより、画素ＰＸ１に第１１階調（即ち、白色）を表示させ、画素ＰＸ２に第１０階調を表示させることができる。
【０１０１】
ここで本実施形態では特に、超過方向白予備駆動（ステップＳＴ３０）において正極性の電圧パルスＰ１及びＰ２が供給されることにより互いに異なる表示状態となった画素ＰＸ１及びＰＸ２に、第１黒書き込み（ステップＳＴ５０）において負極性の電圧パルスＰｂ１を供給する。これにより、画素ＰＸ１及びＰＸ２の表示状態を互いに近づけることができる。よって、画素ＰＸ１及びＰＸ２において階調を細かく制御することができる。即ち、例えば、白色（即ち、第１１階調）を表示している画素ＰＸ１に電圧パルスを供給せず、白色（即ち、第１１階調）を表示している画素ＰＸ２に、負極性の電圧パルスのみを供給することにより、画素ＰＸ１及びＰＸ２において表示する階調を制御する場合と比較して、画素ＰＸ１及びＰＸ２でより細かな階調を実現することが可能となる。
【０１０２】
一方、図１１において、本実施形態に係る駆動方法によれば、黒色（即ち、第０階調）を表示している画素ＰＸ１２に超過方向黒予備駆動（ステップＳＴ４０）において負極性の電圧パルスＰ１２を供給することにより、画素ＰＸ１２を、第０階調よりも黒色粒子８３が共通電極２２側に寄った状態（例えば第−４階調の状態）とし、黒色（即ち、第０階調）を表示している画素ＰＸ１１に超過方向黒予備駆動（ステップＳＴ４０）において負極性の電圧パルスＰ１１を供給することにより、画素ＰＸ１１を、第０階調よりも黒色粒子８３が共通電極２２側に寄った状態（例えば第−２階調の状態）とする。ここで、本実施形態では、電圧パルスＰ１２の持続時間Ｔ１２は、電圧パルスＰ１１の持続時間Ｔ１１よりも長く設定されており、画素ＰＸ１２は、画素ＰＸ１１よりも、黒色粒子８３が共通電極２２側に寄った状態となる。
【０１０３】
このように超過方向黒予備駆動（ステップＳＴ４０）が行われた画素ＰＸ１２及びＰＸ１１に、第１白書き込み（ステップＳＴ６０）において正極性の電圧パルスＰｗ１を供給する。これにより、画素ＰＸ１２に第０階調（即ち、黒色）を表示させ、画素ＰＸ１に第１階調を表示させることができる。
【０１０４】
図１０において、本実施形態に係る駆動方法によれば、初期階調表示（ステップＳＴ２１）によって第１１階調と第６階調との間の階調（例えば第９階調）とされた画素ＰＸ３に順方向黒予備駆動（ステップＳＴ７０）において負極性の電圧パルスＰ３を供給することにより、画素ＰＸ３を、表示すべき階調（即ち、図５の例では第９階調）よりも低い階調（例えば第６階調）とし、初期階調表示（ステップＳＴ２１）によって第１１階調と第６階調との間の階調（例えば第９階調）とされた画素ＰＸ４に順方向黒予備駆動（ステップＳＴ７０）において電圧パルスＰ３の持続時間Ｔ３よりも長い持続時間Ｔ４を有する負極性の電圧パルスＰ４を供給することにより、画素ＰＸ４を、表示すべき階調（即ち、図５の例では第８階調）よりも低い階調（例えば第４階調）とする。
【０１０５】
このように順方向黒予備駆動（ステップＳＴ７０）が行われた画素ＰＸ３及びＰＸ４に、第２白書き込み（ステップＳＴ９０）において正極性の電圧パルスＰｗ２を供給する。これにより、画素ＰＸ３に第９階調を表示させ、画素ＰＸ４に第８階調を表示させることができる。
【０１０６】
ここで本実施形態では特に、順方向黒予備駆動（ステップＳＴ７０）において負極性の電圧パルスＰ３及びＰ４が供給されることにより互いに異なる表示状態となった画素ＰＸ３及びＰＸ４に、第２白書き込み（ステップＳＴ９０）において正極性の電圧パルスＰｗ１を供給する。これにより、画素ＰＸ３及びＰＸ４の表示状態を互いに近づけることができる。よって、画素ＰＸ３及びＰＸ４において階調を細かく制御することができる。即ち、例えば、白色（即ち、第１１階調）を表示している画素ＰＸ３に、負極性の電圧パルスのみを供給すると共に、白色（即ち、第１１階調）を表示している画素ＰＸ２に、画素ＰＸ３に供給する負極性の電圧パルスとは持続時間が異なる負極性の電圧パルスのみを供給することにより、画素ＰＸ３及びＰＸ４において表示する階調を制御する場合と比較して、画素ＰＸ３及びＰＸ４でより細かな階調を実現することが可能となる。
【０１０７】
一方、図１１において、本実施形態に係る駆動方法によれば、初期階調表示（ステップＳＴ２１）によって第０階調と第５階調との間の階調（例えば第２階調）とされた画素ＰＸ１０に順方向白予備駆動（ステップＳＴ８０）において正極性の電圧パルスＰ１０を供給することにより、画素ＰＸ１０を、表示すべき階調（即ち、図５の例では第２階調）よりも高い階調（例えば第６階調）とし、初期階調表示（ステップＳＴ２１）によって第０階調と第５階調との間の階調（例えば第２階調）とされた画素ＰＸ９に順方向白予備駆動（ステップＳＴ８０）において電圧パルスＰ１０の持続時間Ｔ１０よりも長い持続時間Ｔ９を有する正極性の電圧パルスＰ９を供給することにより、画素ＰＸ９を、表示すべき階調（即ち、図５の例では第３階調）よりも高い階調（例えば第４階調）とする。
【０１０８】
このように順方向白予備駆動（ステップＳＴ８０）が行われた画素ＰＸ１０及びＰＸ９に、第２黒書き込み（ステップＳＴ１００）において負極性の電圧パルスＰｂ２を供給する。これにより、画素ＰＸ１０に第２階調を表示させ、画素ＰＸ９に第３階調を表示させることができる。
【０１０９】
図１０において、本実施形態に係る駆動方法によれば、初期階調表示（ステップＳＴ２１）によって第１１階調と第６階調との間の階調（例えば第９階調）とされた画素ＰＸ５に順方向黒予備駆動（ステップＳＴ７０）において負極性の電圧パルスＰ３を供給することにより、画素ＰＸ５を、表示すべき階調（即ち、図５の例では第７階調）よりも低い階調（例えば第６階調）とし、初期階調表示（ステップＳＴ２１）によって第１１階調と第６階調との間の階調（例えば第９階調）とされた画素ＰＸ６に順方向黒予備駆動（ステップＳＴ７０）において電圧パルスＰ３の持続時間Ｔ３よりも長い持続時間Ｔ４を有する負極性の電圧パルスＰ４を供給することにより、画素ＰＸ６を、表示すべき階調（即ち、図５の例では第６階調）よりも低い階調（例えば第４階調）とする。
【０１１０】
このように順方向黒予備駆動（ステップＳＴ７０）が行われた画素ＰＸ５及びＰＸ６に、第２白書き込み（ステップＳＴ９０）において正極性の電圧パルスＰｗ２を供給した後、更に、中間部黒書き込み（ステップＳＴ１１０）において負極性の電圧パルスＰｂ３を供給する。これにより、画素ＰＸ５に第７階調を表示させ、画素ＰＸ６に第６階調を表示させることができる。
【０１１１】
ここで本実施形態では特に、順方向黒予備駆動（ステップＳＴ７０）において負極性の電圧パルスＰ３及びＰ４が供給されることにより互いに異なる表示状態となった画素ＰＸ５及びＰＸ６に、第２白書き込み（ステップＳＴ９０）において正極性の電圧パルスＰｗ１を供給した後、更に、中間部黒書き込み（ステップＳＴ１１０）において負極性の電圧パルスＰｂ３を供給する。これにより、画素ＰＸ５及びＰＸ６の表示状態を互いに近づけることができる。よって、画素ＰＸ５及びＰＸ６において階調を細かく制御することができる。即ち、例えば、白色（即ち、第１１階調）を表示している画素ＰＸ５に、負極性の電圧パルスのみを供給すると共に、白色（即ち、第１１階調）を表示している画素ＰＸ６に、画素ＰＸ５に供給する負極性の電圧パルスとは持続時間が異なる負極性の電圧パルスのみを供給することにより、画素ＰＸ５及びＰＸ６において表示する階調を制御する場合と比較して、画素ＰＸ５及びＰＸ６でより細かな階調を実現することが可能となる。
【０１１２】
一方、図１１において、本実施形態に係る駆動方法によれば、初期階調表示（ステップＳＴ２１）によって第０階調と第５階調との間の階調（例えば第２階調）とされた画素ＰＸ８に順方向白予備駆動（ステップＳＴ８０）において正極性の電圧パルスＰ１０を供給することにより、画素ＰＸ８を、表示すべき階調（即ち、図５の例では第４階調）よりも高い階調（例えば第５階調）とし、初期階調表示（ステップＳＴ２１）によって第０階調と第５階調との間の階調（例えば第２階調）とされた画素ＰＸ７に順方向白予備駆動（ステップＳＴ８０）において電圧パルスＰ１０の持続時間Ｔ１０よりも長い持続時間Ｔ９を有する正極性の電圧パルスＰ９を供給することにより、画素ＰＸ７を、表示すべき階調（即ち、図５の例では第５階調）よりも高い階調（例えば第７階調）とする。
【０１１３】
このように順方向白予備駆動（ステップＳＴ８０）が行われた画素ＰＸ８及びＰＸ７に、第２黒書き込み（ステップＳＴ１００）において負極性の電圧パルスＰｂ２を供給した後、更に、中間部白書き込み（ステップＳＴ１２０）において正極性の電圧パルスＰｗ３を供給する。これにより、画素ＰＸ８に第４階調を表示させ、画素ＰＸ７に第５階調を表示させることができる。
【０１１４】
図１０及び図１１において、本実施形態では、ステップＳＴ９０において画素ＰＸ３〜ＰＸ６の各々に電圧パルスＰｗ２が供給された後の画素ＰＸ３〜ＰＸ６の各々の表示状態（即ち、第９階調又は第８階調）は、ステップＳＴ１００において画素ＰＸ７〜ＰＸ１０に電圧パルスＰｂ２が供給された後の画素ＰＸ７〜ＰＸ１０の各々の表示状態（即ち、第２階調又は第３階調）と白色（即ち、第１１階調）との間の表示状態となっている。よって、ステップＳＴ９０及びＳＴ１００が行われた後において、表示すべき画像に近い画像を確実に表示することができる。従って、表示すべき画像の内容を、ユーザーが早期に視認することが可能となる。
【０１１５】
以上説明したように、本実施形態に係る電気泳動表示装置の駆動方法によれば、多階調表示を高精度に行うことが可能となる。更に、中間調を含む画像を表示する際、初期の段階で、表示すべき画像に近い画像を表示することができる。
【０１１６】
本発明は、上述した実施形態に限られるものではなく、特許請求の範囲及び明細書全体から読み取れる発明の要旨或いは思想に反しない範囲で適宜変更可能であり、そのような変更を伴う電気泳動表示装置の駆動方法もまた本発明の技術的範囲に含まれるものである。
【符号の説明】
【０１１７】
３…表示部、１０…コントローラー、２０…画素、２１…画素電極、２２…共通電極、２３…電気泳動層、２４…画素スイッチング用トランジスター、２７…コンデンサー、４０…走査線、５０…データ線、６０…走査線駆動回路、７０…データ線駆動回路、２２０…共通電位供給回路、Ｐ１、Ｐ２、Ｐ３、Ｐ４、Ｐ９、Ｐ１０、Ｐ１１、Ｐ１２、Ｐｂ１、Ｐｂ２、Ｐｗ１、Ｐｗ２…電圧パルス、Ｔ１、Ｔ２、Ｔ３、Ｔ４、Ｔ９、Ｔ１０、Ｔ１１、Ｔ１２…持続時間
【図１】
0005499785.tif 000002
【図２】
0005499785.tif 000003
【図３】
0005499785.tif 000004
【図４】
0005499785.tif 000005
【図６】
0005499785.tif 000006
【図１０】
0005499785.tif 000007
【図１１】
0005499785.tif 000008
【図１２】
0005499785.tif 000009
【図１３】
0005499785.tif 000010
【図５】
0005499785.tif 000011
【図７】
0005499785.tif 000012
【図８】
0005499785.tif 000013
【図９】
0005499785.tif 000014